(57)【要約】　　　（修正有）【課題】　強化と美化効果を有するプラスチック薄膜が形成され、相互に対応するプラスチック薄膜で組成された包装袋が良好な構造強度を具え、且つ良好な外観を具備する立式包装袋の提供。【解決手段】　二つの相互に対応するプラスチック薄膜で組成された包装袋において、プラスチック薄膜が対応する外層と内層で組成され、外層が透明層の内面に複数の平行なカラー片が接着されてなり、内層が透明層の中間位置に強化片を接着してなり、外層の透明層の内面の複数の平行なカラー片と内層の透明層中間位置の強化片が内部に挟まれるように接着される。【選択図】　　　　図２
0003099566.tif 000002
【実用新案登録請求の範囲】
【請求項１】
　二つの相互に対応するプラスチック薄膜で組成された立式包装袋において、プラスチック薄膜が対応する外層と内層で組成され、外層が透明層の内面に複数の平行なカラー片が接着されてなり、内層が透明層の中間位置に強化片を接着してなり、外層の透明層の内面の複数の平行なカラー片と内層の透明層中間位置の強化片が内部に挟まれるように接着されて強化と美化機能を具えたプラスチック薄膜が形成されたことを特徴とする、立式包装袋。
【請求項２】
　請求項１記載の立式包装袋において、内層の透明層の中間位置の強化片の両側にカラー片が接着されたことを特徴とする、立式包装袋。
【考案の詳細な説明】
【技術分野】
【０００１】
　本考案は一種の立式包装袋に係り、特に、二つの相互に対応するプラスチック薄膜で組成された包装袋において、プラスチック薄膜が対応する外層と内層で組成され、外層が透明層の内面に複数の平行なカラー片が接着されてなり、内層が透明層の中間位置に強化片を接着してなり、相互に対応する二つのプラスチック薄膜で組成された包装袋が良好な構造強度を具え、且つ良好な外観を具備するものとされた、立式包装袋に関する。
【背景技術】
【０００２】
　一般に、プラスチックバッグ袋を製造する方式は、二つのロール状のプラスチックシート材を上下に対向させ、その後、高周波で両側を圧着して袋体となす。ゴミ処理問題がますます重視されるようになったが、プラスチックバッグは使い捨てされてきたため、大量のプラスチックバッグの処理の問題が形成された。
【０００３】
　プラスチックバッグの環境汚染問題を減らすため、現在プラスチックバッグの重複使用が重視されるようになった。しかし周知のプラスチックバッグは単層であるため破損しやすく、ゆえに重複使用率は高くなく、プラスチックバッグの使用量過大の問題を解消できず、真にプラスチックバッグの使用量を減らすことはできない。もし厚さを増したプラスチックバッグを使用すれば、プラスチックバッグのベースカラーが単調となり、多重の色の変化により外観を良くする要求を達成できなくなる。またプラスチックバッグの外観が単調すぎ、且つ破損しやすければ、消費者は重複使用のプラスチックバッグを受け入れられず、このため真に重複使用を達成してプラスチックバッグの使用量を減らす目的を達成することができない。
【考案の開示】
【考案が解決しようとする課題】
【０００４】
　本考案は上述の従来のプラスチックバッグの欠点を鑑み、一種の立式包装袋を提供する。それは、二つの相互に対応するプラスチック薄膜で組成された包装袋において、プラスチック薄膜が対応する外層と内層で組成され、外層が透明層の内面に複数の平行なカラー片が接着されてなり、内層が透明層の中間位置に強化片を接着してなり、外層の透明層の内面の複数の平行なカラー片と内層の透明層中間位置の強化片が内部に挟まれるように接着され、以上の構造により、強化と美化効果を有するプラスチック薄膜が形成され、相互に対応するプラスチック薄膜で組成された包装袋が良好な構造強度を具え、且つ良好な外観を具備するものとされる。
【０００５】
　ゆえに、本考案の主要な目的は、二つの相互に対応するプラスチック薄膜で組成された包装袋を提供し、そのうち、プラスチック薄膜は相互に対応する内層、外層で組成され、外層が透明層の内面に複数の平行なカラー片が接着されてなり、内層が透明層の中間位置に強化片を接着してなり、相互に対応する二つのプラスチック薄膜で組成された包装袋が良好な構造強度を具え、且つ良好な外観を具備するものとする。
【課題を解決するための手段】
【０００６】
　請求項１の考案は、二つの相互に対応するプラスチック薄膜で組成された立式包装袋において、プラスチック薄膜が対応する外層と内層で組成され、外層が透明層の内面に複数の平行なカラー片が接着されてなり、内層が透明層の中間位置に強化片を接着してなり、外層の透明層の内面の複数の平行なカラー片と内層の透明層中間位置の強化片が内部に挟まれるように接着されて強化と美化機能を具えたプラスチック薄膜が形成されたことを特徴とする、立式包装袋としている。
　請求項２の考案は、請求項１記載の立式包装袋において、内層の透明層の中間位置の強化片の両側にカラー片が接着されたことを特徴とする、立式包装袋としている。
【考案の効果】
【０００７】
　ゆえに、本考案は、二つの相互に対応するプラスチック薄膜で組成された立式包装袋を提供し、そのうち、プラスチック薄膜は相互に対応する内層、外層で組成され、外層が透明層の内面に複数の平行なカラー片が接着されてなり、内層が透明層の中間位置に強化片を接着してなり、相互に対応する二つのプラスチック薄膜で組成された包装袋が良好な構造強度を具え、且つ良好な外観を具備している。
【考案を実施するための最良の形態】
【０００８】
　図１、２に示されるように、本考案は二つの相互に対応するプラスチック薄膜１で組成された包装袋１０であり、その特徴は以下のとおりである。
【０００９】
　該プラスチック薄膜１は、相互に対応する外層１１と内層１２で組成され、図３、図４に示されるように、外層１１は透明層１１ａの内面に複数の平行なカラー片１１ｂを接着してなり、また、内層１２は、透明層１２ａの中間位置に強化片１２ｂを接着してなり、これは図５に示されるとおりであり、外層１１の透明層１１ａの内側の複数の平行なカラー片１１ｂと内層１２の透明層１２ａの中間位置の強化片１２ｂが内部に挟まれるように接合されて、強化と美化効果を有するプラスチック薄膜１が形成される。
【００１０】
　以上の構造により、該外層１１の透明層１１ａの内面に複数の平行なカラー片１１ｂが接着されたことにより、外層１１が多種色彩の変化を具備しうる。
【００１１】
　また、内層１２の透明層１２ａの中間位置に強化片１２ｂが接着されたことにより、内層１２の強度が増され、外層１１と内層１２が接着されて一体とされた後、良好な構造強度が得られ、これにより破損を防止できる。
【００１２】
　さらに、該プラスチック薄膜１は底面に同色或いは異なる色のカラー片１１ｂが平行に配列されてなる外層１１と内面に強化片１２ｂを具えた内層１２が重畳するよう接着されてなり、こうして組成された包装袋１０が良好な外観と強度を有し、これにより消費者が受け入れやすくなり、包装袋１０を重複使用させることができ、プラスチックバッグの使用量を減らす目的を達成できる。
【００１３】
　さらに、図４及び図６に示されるように、内層１２の実施時には、図６のように、透明層１２ａの中間位置の強化片１２ｂの両側にカラー片１２ｃを接着し、内層１２の内面を強化片を設けると共に色彩の変化を有するものとでき、また、さらに図４の外層１１の構造を結合させることにより、もう一つの形式のプラスチック薄膜１を形成でき、該プラスチック薄膜１を図７に示されるように包装袋１０に形成することができる。
【００１４】
　総合すると、本考案の構造は従来にはなく、且つ確実に上述の効果を達成し、実用新案登録の要件を具備している。
【図面の簡単な説明】
【００１５】
【図１】本考案の包装袋の斜視図である。
【図２】本考案の包装袋の縦断面図である。
【図３】本考案のプラスチック薄膜の断面図である。
【図４】本考案の外層形成の斜視図である。
【図５】本考案の内層形成の斜視図である。
【図６】本考案の内層形成のもう一つの実施例の斜視図である。
【図７】本考案の包装袋のもう一つの実施例の断面図である。
【符号の説明】
【００１６】
１０　包装袋
１　プラスチック薄膜
１１　外層
１１ａ　透明層
１１ｂ　カラー片
１２　内層
１２ａ　透明層
１２ｂ　強化片
１２ｃ　カラー片
【図１】
0003099566.tif 000003
【図２】
0003099566.tif 000004
【図３】
0003099566.tif 000005
【図４】
0003099566.tif 000006
【図５】
0003099566.tif 000007
【図６】
0003099566.tif 000008
【図７】
0003099566.tif 000009